(57)【要約】【課題】水飛沫がアンテナカバー内に逆流するのを１枚の防水シートで防止するようにしたアンテナカバーを提供する。【解決手段】円筒状部分と、取り付けた状態において前記円筒状部分の下側に配置される下蓋とを有し、前記下蓋の周囲には、水抜き孔が形成されており、前記水抜き孔を覆うように配置される一枚のドーナツ状の防水シートを有し、前記ドーナツ状の防水シートは、前記水抜き孔が形成される領域以外の領域において、前記下蓋に固定するための取り付け孔を有し、前記ドーナツ状の防水シートは、前記水抜き孔を覆う領域の幅が、前記取り付け孔が形成される領域の幅よりも広い。前記ドーナツ状の防水シートを展開した状態において、前記取り付け孔の中心位置を通る円の直径をＬ１、前記下蓋の前記水抜き孔の中心位置を通る円の直径をＬ２とするとき、Ｌ１＞Ｌ２を満足する。【選択図】図４
2008211324.tif 000002
【特許請求の範囲】
【請求項１】
内部にアンテナ素子を収納するアンテナカバーであって、
円筒状部分と、
取り付けた状態において前記円筒状部分の下側に配置される下蓋とを有し、
前記下蓋の周囲には、水抜き孔が形成されており、
前記水抜き孔を覆うように配置される一枚のドーナツ状の防水シートを有し、
前記ドーナツ状の防水シートは、前記水抜き孔が形成される領域以外の領域において、前記下蓋に固定するための取り付け孔を有し、
前記ドーナツ状の防水シートは、前記水抜き孔を覆う領域の幅が、前記取り付け孔が形成される領域の幅よりも広いことを特徴とするアンテナカバー。
【請求項２】
前記ドーナツ状の防水シートを展開した状態において、前記ドーナツ状の防水シートの前記水抜き孔を覆う領域の外周部分が、前記取り付け孔が形成される領域の外側の部分に内接する円よりも外側に突出し、
前記ドーナツ状の防水シートを展開した状態において、前記ドーナツ状の防水シートの前記水抜き孔を覆う領域の内周部分が、前記取り付け孔が形成される領域の内側の部分に外接する円よりも内側に突出し、
前記ドーナツ状の防水シートを展開した状態において、前記取り付け孔の中心位置を通る円の直径をＬ１、前記下蓋の前記水抜き孔の中心位置を通る円の直径をＬ２とするとき、Ｌ１＞Ｌ２を満足することを特徴とするアンテナカバー。
【発明の詳細な説明】
【技術分野】
【０００１】
本発明は、アンテナカバーに係り、特に、アンテナカバーの下蓋の水抜き構造に適用して有効な技術に関する。
【背景技術】
【０００２】
携帯電話機などの基地局アンテナは、屋外に設置される。そのため、基地局アンテナは紫外線や、風雨にさらされることになるので、アンテナ素子は、アンテナカバー内に収納されるのが普通である。
【発明の開示】
【発明が解決しようとする課題】
【０００３】
図６は、従来のアンテナカバーを説明するための模式図である。同図において、１０はアンテナカバーであり、アンテナカバー１０内に、例えば、携帯電話機などの基地局アンテナが収納される。一般に、アンテナカバー１０は、取り付け金具１１により、支柱１２に取り付けられる。
このようなアンテナカバー１０は、上蓋と、円柱部分と、下蓋とで構成されるが、下蓋部分には、内部での凍結などにより生じる水を抜くための水抜き孔が形成される。しかしながら、暴風雨などにより、この水抜き孔を通じて、水飛沫が内部に逆流する場合があるので、この水抜き孔を、図７に示すコの字形状の防水用部品７で覆うようにしている。
一般に、前述の水抜き孔は、複数（例えば、４個）形成されるが、例えば、水抜き孔が、４個形成される場合、従来は、コの字形状の防水用部品７を４個用意し、それぞれの水抜き孔をコの字形状の防水用部品７で覆うようにしている。
このように、従来のアンテナカバーの下蓋では、各水抜き孔毎に防水用部品７を用意する必要があり、さらに、各水抜き孔を防水用部品７で覆うための手間が掛かるので、アンテナカバーのコストを、より一層低減することが難しいという問題点があった。
【０００４】
本発明は、前記従来技術の問題点を解決するためになされたものであり、本発明の目的は、水飛沫がアンテナカバー内に逆流するのを１枚の防水シートで防止するようにしたアンテナカバーを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）内部にアンテナ素子を収納するアンテナカバーであって、円筒状部分と、取り付けた状態において前記円筒状部分の下側に配置される下蓋とを有し、前記下蓋の周囲には、水抜き孔が形成されており、前記水抜き孔を覆うように配置される一枚のドーナツ状の防水シートを有し、前記ドーナツ状の防水シートは、前記水抜き孔が形成される領域以外の領域において、前記下蓋に固定するための取り付け孔を有し、前記ドーナツ状の防水シートは、前記水抜き孔を覆う領域の幅が、前記取り付け孔が形成される領域の幅よりも広いことを特徴とする。
（２）（１）において、前記ドーナツ状の防水シートを展開した状態において、前記ドーナツ状の防水シートの前記水抜き孔を覆う領域の外周部分が、前記取り付け孔が形成される領域の外側の部分に内接する円よりも外側に突出し、前記ドーナツ状の防水シートを展開した状態において、前記ドーナツ状の防水シートの前記水抜き孔を覆う領域の内周部分が、前記取り付け孔が形成される領域の内側の部分に外接する円よりも内側に突出し、前記ドーナツ状の防水シートを展開した状態において、前記取り付け孔の中心位置を通る円の直径をＬ１、前記下蓋の前記水抜き孔の中心位置を通る円の直径をＬ２とするとき、Ｌ１＞Ｌ２を満足することを特徴とする。
【発明の効果】
【０００６】
本願において開示される発明のうち代表的なものによって得られる効果を簡単に説明すれば、下記の通りである。
本発明のアンテナカバーによれば、水飛沫がアンテナカバー内に逆流するのを１枚の防水シートで防止することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例のアンテナカバーを説明するための模式図である。同図に示すように、本実施例のアンテナカバーは、上蓋１と、円柱部分２と、下蓋３とで構成される。
なお、図１には図示していないが、上蓋１の内部に円柱部分２を挿入した後、上蓋１および円柱部分２の側面に設けられたネジ穴に挿入されるネジにより、上蓋１は円柱部分２に固定される。また、円柱部分２の内部には、携帯電話機などの基地局アンテナが収納される。同様に、図１には図示していないが、円柱部分２の内部に下蓋３を挿入した後、円柱部分２および下蓋３の側面に設けられたネジ穴に挿入されるネジにより、円柱部分２は下蓋３に固定される。ここで、上蓋１は、強化プラスチックやアルミなどの金属材料で構成され、円柱部分２は、強化プラスチックで構成され、下蓋３はアルミなどの金属材料で構成される。
図２は、図１に示す下蓋３を説明するための図であり、図１に示す下蓋３を上から見た図である。
図２において、３０ａ〜３０ｄは水抜き孔であり、本実施例では、上下・左右に４個形成される。また、３１ａ〜３１ｄは、後述する防水シート５をネジ止めするためのネジ孔である。さらに、３２ａ〜３２ｆは、円柱部分２をネジ止めするためのねじ穴、３３ａ〜３３ｅは、励振電力を供給するための同軸接栓である。
【０００８】
図３は、本実施例の特徴とする防水シートを説明するための図であり、展開した状態の防水シートを上から見た図である。
図３において、５は防水シートであり、この防水シート５は、展開した状態において、ドーナツ状に形成される。また、５１ａ〜５１ｄは、下蓋３のネジ孔（３１ａ〜３１ｄ）に対向して形成された取り付け孔である。そして、各取り付け孔の中間位置の、各取り付け孔が形成される領域（図３のＢに示す部分）よりも幅広に形成された領域（図３のＡに示す部分）が、前述の水抜き孔（３０ａ〜３０ｄ）を覆い、水飛沫がアンテナカバー内に逆流するのを防止する部分である。
防水シート５は、展開した状態において、ドーナツ状に形成されるが、図３に示すように、外周、内周とも完全な円弧状には形成されておらず、外周では、下蓋３の水抜き孔（３０ａ〜３０ｄ）を覆う領域（図３のＡに示す領域）の外周部分が、取り付け孔（５１ａ〜５１ｄ）が形成される領域（図３のＢに示す部分）の外側の部分に内接する円（ＣＩＲ２）よりも外側に突出している。
即ち、防水シート５に形成される取り付け孔（５１ａ〜５１ｄ）が形成される領域の外側の部分に内接する円（ＣＩＲ２）の直径をＬ４、下蓋３の水抜き孔（３０ａ〜３０ｄ）を覆う領域の外側の部分に外接する円（ＣＩＲ１）の直径をＬ３とするとき、Ｌ３＞Ｌ４を満足する。なお、本実施例では、Ｌ３は１５０ｍｍ、Ｌ４は１４４ｍｍである。
【０００９】
また、内周では、下蓋３の水抜き孔（３０ａ〜３０ｄ）を覆う部分（図３のＡに示す部分）の内周部分が、取り付け孔（５１ａ〜５１ｄ）が形成される領域（図３のＢに示す部分）の内側の部分に外接する円（ＣＩＲ３）よりも内側に突出している。
即ち、防水シート５に形成される取り付け孔（５１ａ〜５１ｄ）が形成される領域の内側の部分に外接する円（ＣＩＲ３）の直径をＬ５、下蓋３の水抜き孔（３０ａ〜３０ｄ）を覆う領域の内側の部分に内接する円（ＣＩＲ４）の直径をＬ６とするとき、Ｌ５＞Ｌ６を満足する。なお、本実施例では、Ｌ５は１２８ｍｍ、Ｌ６は１１４ｍｍである。
さらに、本実施例では、防水シート５に形成される取り付け孔（５１ａ〜５１ｄ）の中心位置を通る円（ＣＩＲ５）の直径をＬ１、下蓋３の水抜き孔（３０ａ〜３０ｄ）の中心位置を通る円（ＣＩＲ６）の直径をＬ２とするとき、Ｌ１＞Ｌ２を満足する。なお、本実施例では、Ｌ５は１３６ｍｍ、Ｌ６は１３０ｍｍである。
【００１０】
図４は、本実施例の防水シート５を下蓋３に取り付けた状態を示す図であり、防水シート５を取り付けた下蓋３を上から見た図である。図４において、６ａ〜６ｄは、防水シート５を下蓋３に固定するためのネジである。
本実施例では、前述したように、下蓋３の水抜き孔（３０ａ〜３０ｄ）の中心位置を通る円（ＣＩＲ６）の直径（Ｌ２）が、防水シート５に形成される取り付け孔（５１ａ〜５１ｄ）の中心位置を通る円（ＣＩＲ５）の直径（Ｌ１）よりも小さくされる。
そのため、部品単体では平面上の防水シート５が、下蓋３に組み込んだ状態では、防水シート５が波打つことになる。
そのため、図５に示すように、水抜きスペースを確保すると同時に、水抜き孔（３０ａ〜３０ｄ）を覆うことにより、水飛沫がアンテナカバー内部へ侵入するのを防止することができる。なお、図５は、本実施例の防水シート５が、水抜き孔（３０ａ〜３０ｄ）を覆っている状態を示す図である。
以上、本発明者によってなされた発明を、前記実施例に基づき具体的に説明したが、本
発明は、前記実施例に限定されるものではなく、その要旨を逸脱しない範囲において種々変更可能であることは勿論である。
【図面の簡単な説明】
【００１１】
【図１】本発明の実施例のアンテナカバーを説明するための模式図である。
【図２】図１に示す下蓋を説明するための図である。
【図３】本発明の実施例の特徴とする防水シートを説明するための図である。
【図４】本発明の実施例の防水シートを下蓋に取り付けた状態を示す図である。
【図５】本発明の実施例の防水シートが、水抜き孔を覆っている状態を示す図である。
【図６】従来のアンテナカバーを説明するための模式図である。
【図７】従来の防水用部品を説明するための図である。
【符号の説明】
【００１２】
１  上蓋
２  円柱部分
３  下蓋
５  防水シート
６ａ〜６ｄ  ネジ
７  コの字形状の防水用部品
３０ａ〜３０ｄ  水抜き孔
３１ａ〜３１ｄ，３２ａ〜３２ｆ  ネジ孔
３３ａ〜３３ｅ  同軸接栓
５１ａ〜５１ｄ  取り付け孔
１０  アンテナカバー
１１  取り付け金具
１２  支柱
【図１】
2008211324.tif 000003
【図２】
2008211324.tif 000004
【図３】
2008211324.tif 000005
【図４】
2008211324.tif 000006
【図５】
2008211324.tif 000007
【図６】
2008211324.tif 000008
【図７】
2008211324.tif 000009